(57)【要約】【課題】  エンジンルームへのワラ屑の入り込みなどを効果的に抑制することのできる防塵構造を提供する。【解決手段】  エンジンルーム２９の横一側方に、刈取穀稈を後方の脱穀装置４に向けて搬送する穀稈搬送装置１４を配備し、穀稈搬送装置１４からの刈取穀稈を、その穂先側が脱穀装置４の供給口１８から扱室１９に供給されるように、その株元側を挟持して搬送する挟持搬送機構１６と、穀稈搬送装置１４の後部から供給口１８にわたって刈取穀稈の穂先側を案内する穂先ガイド３５とを装備してある自脱形コンバインの防塵構造において、エンジンルーム２９を形成するエンジンカバー３０の上部に、エンジンカバー３０と穂先ガイド３５との間に形成される隙間Ｓを塞ぐ防塵カバー３８を装備してある。【選択図】        図３
2008193908.tif 000002
【特許請求の範囲】
【請求項１】
エンジンルームの横一側方に、刈取穀稈を後方の脱穀装置に向けて搬送する穀稈搬送装置を配備し、
前記穀稈搬送装置からの刈取穀稈を、その穂先側が前記脱穀装置の供給口から扱室に供給されるように、その株元側を挟持して搬送する挟持搬送機構と、
前記穀稈搬送装置の後部から前記供給口にわたって刈取穀稈の穂先側を案内する穂先ガイドとを装備してある自脱形コンバインの防塵構造であって、
前記エンジンルームを形成するエンジンカバーの上部に、前記エンジンカバーと前記穂先ガイドとの間に形成される隙間を塞ぐ防塵カバーを装備してあることを特徴とする自脱形コンバインの防塵構造。
【請求項２】
前記防塵カバーを、可撓性を有する素材で構成してあることを特徴とする請求項１に記載の自脱形コンバインの防塵構造。
【請求項３】
前記防塵カバーを、透明性を有する素材で構成してあることを特徴とする請求項１又は２に記載の自脱形コンバインの防塵構造。
【発明の詳細な説明】
【技術分野】
【０００１】
本発明は、エンジンルームの横一側方に、刈取穀稈を後方の脱穀装置に向けて搬送する穀稈搬送装置を配備し、前記穀稈搬送装置からの刈取穀稈を、その穂先側が前記脱穀装置の供給口から扱室に供給されるように、その株元側を挟持して搬送する挟持搬送機構と、前記穀稈搬送装置の後部から前記供給口にわたって刈取穀稈の穂先側を案内する穂先ガイドとを装備してある自脱形コンバインの防塵構造に関する。
【背景技術】
【０００２】
自脱形コンバインでは、穀稈搬送装置の横一側方に配備した搭乗運転部における運転座席の下方の位置にエンジンルームを形成することが一般的に行われている（例えば特許文献１参照）。
【０００３】
そして、自脱形コンバインの防塵構造としては、穀稈搬送装置の後部から脱穀装置の供給口にわたる穀稈搬送経路の上方を覆う防塵カバーを装備して、搬送中の刈取穀稈などから発生する塵埃が、穀稈搬送装置の横一側方に配備した搭乗運転部に向けて舞い上がることを防止するように構成したものがある（例えば特許文献２参照）。
【０００４】
【特許文献１】特開２００６−１２３５９８号公報（段落番号００２４、図１〜３）
【特許文献２】特開２００２−５８３２１号公報（段落番号０００７、図１〜５）
【発明の開示】
【発明が解決しようとする課題】
【０００５】
自脱形コンバインにおいては、エンジンルームを形成するエンジンカバーと、穀稈搬送装置の後部から脱穀装置の供給口にわたって刈取穀稈の穂先側を案内する穂先ガイドとの間に形成される隙間を塞ぐようには構成されていないことから、脱穀装置の供給口から漏れ出たワラ屑などが、その隙間からエンジンルームに向けて流れ落ち易くなっている。そのため、収穫作業後の清掃作業において、エンジンルームに入り込んだワラ屑などの除去に手間がかかるなどの不都合が生じるようになっていた。
【０００６】
本発明の目的は、エンジンルームへのワラ屑の入り込みなどを効果的に抑制することのできる防塵構造を提供することにある。
【課題を解決するための手段】
【０００７】
上記の目的を達成するため、本発明のうちの請求項１に記載の発明では、エンジンルームの横一側方に、刈取穀稈を後方の脱穀装置に向けて搬送する穀稈搬送装置を配備し、前記穀稈搬送装置からの刈取穀稈を、その穂先側が前記脱穀装置の供給口から扱室に供給されるように、その株元側を挟持して搬送する挟持搬送機構と、前記穀稈搬送装置の後部から前記供給口にわたって刈取穀稈の穂先側を案内する穂先ガイドとを装備してある自脱形コンバインの防塵構造において、前記エンジンルームを形成するエンジンカバーの上部に、前記エンジンカバーと前記穂先ガイドとの間に形成される隙間を塞ぐ防塵カバーを装備してあることを特徴とする。
【０００８】
この特徴構成によると、防塵カバーによって、脱穀装置の供給口から漏れ出たワラ屑などが、その隙間からエンジンルームに向けて流れ落ちることを阻止することができる。
【０００９】
従って、エンジンルームへのワラ屑の入り込みなどを効果的に抑制することができ、収穫作業後の清掃作業において、エンジンルームに入り込んだワラ屑などの除去に要する手間を軽減することができる。
【００１０】
本発明のうちの請求項２に記載の発明では、上記請求項１に記載の発明において、前記防塵カバーを、可撓性を有する素材で構成してあることを特徴とする。
【００１１】
この特徴構成によると、防塵カバーを、エンジンカバー及び穂先ガイドに対する密接度の高い形状に形成することなく、エンジンカバーや穂先ガイドの形状に合わせた密接度の高い状態で、エンジンカバーと穂先ガイドとの間に形成される隙間を確実に塞ぐことができる。
【００１２】
従って、高い加工精度や組み付け精度を要することなく、エンジンルームへのワラ屑の入り込みなどを効果的に抑制することができ、結果、製作や組み付けの容易化を図りながら、エンジンルームに入り込んだワラ屑などの除去に要する手間を軽減することができる。
【００１３】
本発明のうちの請求項３に記載の発明では、上記請求項１又は２に記載の発明において、前記防塵カバーを、透明性を有する素材で構成してあることを特徴とする。
【００１４】
この特徴構成によると、エンジンルームへのワラ屑の進入状態などを、防塵カバーを透して容易に把握することができる。
【００１５】
従って、エンジンルームへのワラ屑の入り込みなどを効果的に抑制しながら、エンジンルームに入り込んだワラ屑などの除去を適時に行うことができる。
【発明を実施するための最良の形態】
【００１６】
図１には自脱形コンバインの全体側面が、図２にはその前半部の平面がそれぞれ示されており、このコンバインは、角パイプ材などによって枠状に形成された機体フレーム１、機体フレーム１の下部に装備された左右一対のクローラ式走行装置２、機体フレーム１の左前部に昇降揺動可能に連結された刈取搬送部３、機体フレーム１の左半部に搭載された脱穀装置４、機体フレーム１の右後部に搭載された袋詰め装置５、機体フレーム１の右前部に形成された搭乗運転部６、及び、機体フレーム１の右前部に搭載されたエンジン７、などによって構成されている。
【００１７】
左右のクローラ式走行装置２は、エンジン７から主変速装置（図示せず）や副変速装置（図示せず）などを介して伝達される動力で駆動され、搭乗運転部６に備えた主変速レバー８や副変速レバー９の操作に基づいて変速され、その駆動状態では、搭乗運転部６に備えた十字揺動式で中立復帰型の操縦レバー１０の左右方向への揺動操作に基づいて、それらが等速駆動される直進状態と、それらが差動する旋回走行状態とに切り換えられる。
【００１８】
刈取搬送部３は、エンジン７からの動力が主変速装置や刈取クラッチ（図示せず）などを介して伝達され、その作動状態では、機体の走行に伴って、先端に備えた複数のデバイダ１１が収穫対象の植立穀稈を植え付け条ごとに梳き分けながら梳き起こし、条分けされた植立穀稈を複数の引起装置１２が所定の刈取姿勢に引き起こし、引き起こされた植立穀稈の株元側をバリカン型の刈取装置１３が切断し、切断後の植立穀稈である刈取穀稈を穀稈搬送装置１４が刈取用の起立姿勢から脱穀用の横倒れ姿勢に姿勢変更しながら脱穀装置４に向けて搬送するように構成されている。
【００１９】
又、操縦レバー１０の前後方向への揺動操作に基づいて、機体フレーム１と刈取搬送部３とにわたって架設した油圧式の昇降シリンダ１５が伸縮作動することで、左右向きの支点Ｐ周りに昇降揺動する。
【００２０】
脱穀装置４は、エンジン７からの動力が脱穀クラッチ（図示せず）などを介して伝達され、その作動状態では、左側部に備えた挟持搬送機構１６が、穀稈搬送装置１４からの刈取穀稈を受け取るとともに、その穂先側が脱穀装置４の前壁１７に形成した供給口１８から扱室１９に供給されるように、刈取穀稈の株元側を挟持して搬送し、脱穀装置４に内装した扱胴２０が、扱室１９に供給された刈取穀稈の穂先側に脱穀処理を施し、その脱穀処理で得られた処理物を受網（図示せず）などから漏下させ、漏下した処理物に、揺動選別機構（図示せず）による篩い選別や唐箕（図示せず）からの選別風による風力選別などを施して、処理物を、１番物としての単粒化穀粒、２番物としての枝梗付き穀粒やワラ屑などの混在物、及び、３番物としての切れワラやワラ屑などに選別し、単粒化穀粒を回収して袋詰め装置５に供給するように構成されている。
【００２１】
搭乗運転部６は、機体フレーム１の右前部に搭乗ステップ２１を敷設し、搭乗ステップ２１の前側に、操縦レバー１０などを備えたフロントパネル２２を立設し、搭乗ステップ２１の左側に、主変速レバー８や副変速レバー９などを備えたサイドパネル２３を立設し、搭乗ステップ２１の後側に、運転座席２４を支持する支持台２５を配備して形成されている。
【００２２】
図２〜４に示すように、支持台２５は、開放部が下向きになる側面視略コの字状で、その右側端部に、除塵網２６などを備えた右側壁２７が連設され、その左側端部にサイドプレート２３が連設されることで、エンジン７やラジエータ２８などが配備されるエンジンルーム２９を形成するエンジンカバー３０として機能するように構成されている。
【００２３】
エンジン７は、その左側部に備えた出力プーリ３１が、エンジンカバー３０の左側部に形成された開口３２から穀稈搬送装置１４側に突出し、その出力プーリ３１から前方の主変速装置や後方の脱穀装置などに対応する伝動ベルト３３，３４を介して伝動するように構成されている。
【００２４】
穀稈搬送装置１４と脱穀装置４との間には、挟持搬送機構１６によって株元側が挟持された状態で搬送される刈取穀稈の穂先側を受け止めて、穀稈搬送装置１４の後部から脱穀装置４の供給口１８にわたって案内する穂先ガイド３５が配備されている。穂先ガイド３５は、穀稈搬送装置１４の後部から後方に向けて延出するように穀稈搬送装置１４に連結されたゴム製の第１ガイド３６と、脱穀装置４の前壁１７から前方に向けて延出するように前壁１７に装備された板金製の第２ガイド３７とを、第１ガイド３６が第２ガイド３７によって受け止め支持された状態となるように重合させることで、刈取搬送部３の昇降揺動を許容しながら刈取穀稈の穂先側を円滑に案内するように構成されている。
【００２５】
図１〜４に示すように、エンジンカバー３０の左上部には、サイドパネル２３と穂先ガイド３５との間に形成される隙間Ｓを塞ぐことで、脱穀処理の際に脱穀装置４の供給口１８から漏れ出たワラ屑などの塵埃が、その隙間Ｓから下方に向けて流れ落ちることを阻止する防塵カバー３８が装備されている。
【００２６】
防塵カバー３８は、サイドパネル２３の上部にボルト連結されることで、エンジンカバー３０の左上部から穂先ガイド３５に向けて延出する状態となる正面視Ｌ字状に屈曲形成された板金製の第１カバー３９と、第１カバー３９から穂先ガイド３５にわたるように延出された可撓性を有する透明の樹脂シートからなる第２カバー４０とから構成されている。
【００２７】
第２カバー４０は、その延出端部における脱穀装置４との隣接箇所４０Ａが縦壁１７に固定され、又、その延出端部における穂先ガイド３５との重合箇所４０Ｂが第１ガイド３６と第２ガイド３７との間に入り込んで挟まれることで、刈取搬送部３の昇降揺動を許容しながら、第１カバー３９と穂先ガイド３５とにわたる状態を維持するように構成されている。
【００２８】
つまり、上記のように防塵カバー３８を設けたことで、脱穀装置４の供給口１８から漏れ出たワラ屑などの塵埃が、サイドパネル２３と穂先ガイド３５との隙間Ｓから流下して、エンジンルーム２９に入り込む、あるいは、エンジン７から主変速装置や脱穀装置４にわたる伝動系、及び、主変速レバー８から主変速装置にわたる操作系に付着する、といったことなどが生じるのを効果的に抑制することができる。
【００２９】
その結果、収穫作業後の清掃作業において、エンジンルーム２９に入り込んだワラ屑、あるいは、伝動系や操作系に付着したワラ屑、などの除去に要する手間を軽減することができる。
【００３０】
又、防塵カバー３８において、穂先ガイド３５に接合される第２カバー４０を、可撓性を有する樹脂シートで構成したことによって、防塵カバー３８を、穂先ガイド３５に対する密接度の高い形状に形成することなく、穂先ガイド３５の形状に合わせた密接度の高い状態で穂先ガイド３５に接合させることができ、これによって、高い加工精度や組み付け精度を要することなく、エンジンカバー３０と穂先ガイド３５との間に形成される隙間Ｓを確実に塞ぐことができる。
【００３１】
しかも、第２カバー４０が透明であることから、エンジンルーム２９へのワラ屑などの進入状態、及び、伝動系や操作系などに対するワラ屑などの付着状態、などを第２カバー４０を透して容易に把握することができ、エンジンルーム２９に入り込んだワラ屑、あるいは、伝動系や操作系などに付着したワラ屑、などの除去を適時に行うことができる。
【００３２】
サイドパネル２３の上部には、サイドパネル２３から上方に向けて延出し、かつ、その上端部が、上部側ほど穀稈搬送装置１４側に位置する左傾姿勢に形成された防音壁４１が立設されている。これによって、エンジンカバー３０の開口３２から漏れ出るエンジン音、及び、刈取搬送部３や脱穀装置４の作動音、などの騒音が搭乗運転部６に及ぶことを効果的に抑制することができ、搭乗運転部６での居住性の向上を図ることができる。
【００３３】
〔別実施形態〕
【００３４】
〔１〕防塵カバー３８を、サイドパネル２３の上部と穂先ガイド３５とにわたるように形成された板金材や樹脂材のみで構成してもよく、又、サイドパネル２３の上部と穂先ガイド３５とにわたる可撓性を有する樹脂シートのみで構成してもよい。
【００３５】
〔２〕防塵カバー３８を、その全体が透明になるように構成してもよく、又、その全体あるいは一部が半透明になるように構成してもよく、更に、その全体が不透明になるように構成してもよい。
【図面の簡単な説明】
【００３６】
【図１】自脱形コンバインの全体側面図
【図２】自脱形コンバインにおける前半部の平面図
【図３】防塵構造を示す要部の縦断正面図
【図４】防塵構造を示す要部の斜視図
【符号の説明】
【００３７】
４    脱穀装置
１４  穀稈搬送装置
１６  挟持搬送機構
１８  供給口
１９  扱室
２９  エンジンルーム
３０  エンジンカバー
３５  穂先ガイド
３８  防塵カバー
Ｓ    隙間
【図１】
2008193908.tif 000003
【図２】
2008193908.tif 000004
【図３】
2008193908.tif 000005
【図４】
2008193908.tif 000006